(57)【要約】【課題】意匠性が高い不織布製品の製造方法を提供する。【解決手段】不織布１０の少なくとも片面に織編地２１を重ね合わせ、ニードルで繰り返し突き刺すことにより、不織布の繊維の一部を織編地の目を通過させ、且つ、不織布の繊維の一部を織編地の糸と交絡させることにより、織編地と不織布とが一体化した積層布地３０とし、積層布地における織編地側の表面が、衣類、日傘、袋物、カバー類、冊子類、及び文具ファイルから選ばれる製品の製品本体において外観に表れる外表面を構成するように、或いは、乗物用内装部品、建築用内装材、及びインテリア製品から選ばれる製品の表皮材において外観に表れる外表面を構成するように、積層布地を用いる。【選択図】図１
2018184693.tif 000002
【特許請求の範囲】
【請求項１】
不織布の少なくとも片面に織編地が重ね合わされており、前記不織布の繊維の一部が前記織編地の目を通過し、且つ、前記不織布の繊維の一部が前記織編地の糸と交絡していることにより、前記織編地と前記不織布とが一体化している積層布地が、
衣類、日傘、袋物、カバー類、冊子類、及び文具ファイルから選ばれる製品の製品本体に使用されており、
前記積層布地における前記織編地側の表面が、前記製品本体において外観に表れる外表面を構成している
ことを特徴とする不織布製品。
【請求項２】
不織布の少なくとも片面に織編地が重ね合わされており、前記不織布の繊維の一部が前記織編地の目を通過し、且つ、前記不織布の繊維の一部が前記織編地の糸と交絡していることにより、前記織編地と前記不織布とが一体化している積層布地が、
乗物用内装部品、建築用内装材、及びインテリア製品から選ばれる製品の表皮材として使用されており、
前記積層布地における前記織編地側の表面が、前記表皮材において外観に表れる外表面を構成している
ことを特徴とする不織布製品。
【請求項３】
前記織編地は、レース地である
ことを特徴とする請求項１または請求項２に記載の不織布製品。
【請求項４】
不織布の少なくとも片面に織編地を重ね合わせ、
ニードルで繰り返し突き刺すことにより、前記不織布の繊維の一部を前記織編地の目を通過させ、且つ、前記不織布の繊維の一部を前記織編地の糸と交絡させることにより、前記織編地と前記不織布とが一体化した積層布地とし、
該積層布地における前記織編地側の表面が、衣類、日傘、袋物、カバー類、冊子類、及び文具ファイルから選ばれる製品の製品本体において外観に表れる外表面を構成するように前記積層布地を用いる
ことを特徴とする不織布製品の製造方法。
【請求項５】
不織布の少なくとも片面に織編地を重ね合わせ、
ニードルで繰り返し突き刺すことにより、前記不織布の繊維の一部を前記織編地の目を通過させ、且つ、前記不織布の繊維の一部を前記織編地の糸と交絡させることにより、前記織編地と前記不織布とが一体化した積層布地とし、
該積層布地における前記織編地側の表面が、乗物用内装部品、建築用内装材、及びインテリア製品から選ばれる製品の表皮材において外観に表れる外表面を構成するように前記積層布地を用いる
ことを特徴とする不織布製品の製造方法。
【発明の詳細な説明】
【技術分野】
【０００１】
本発明は、不織布を使用した製品、及び、該製品の製造方法に関するものである。
【背景技術】
【０００２】
不織布は、空調フィルタ、集塵フィルタ、濾過フィルタなど種々のフィルタに使用されている他、建築・土木の分野では防音材、防振材、断熱材、遮水シート、地中埋設管の補修材などに使用されており、農業の分野では苗床用シート、防霜シートなどに使用されている。また、衣類の分野では、襟芯などの芯地、肩パッド、中入れ綿などに使用されている。これらの用途は何れも、装置の中、壁の中や床下、ビニールハウスや畑の中、衣類の内部など、人の目に付きにくい場所での用途である。言わば、不織布は、目に付きにくいところで役目を果たす「裏方」の存在である。
【０００３】
本出願人は、長年、不織布の製造を続けながら、不織布が「主役」となるような新規な用途を模索しており、その過程で、意匠性が求められる製品に不織布を使用することを想到し、本発明に至ったものである。
【発明の概要】
【発明が解決しようとする課題】
【０００４】
上記のように、本発明は、意匠性が高い不織布製品、及び、該不織布製品の製造方法の提供を、課題とするものである。
【課題を解決するための手段】
【０００５】
上記の課題を解決するため、本発明にかかる不織布製品は、
「不織布の少なくとも片面に織編地が重ね合わされており、前記不織布の繊維の一部が前記織編地の目を通過し、且つ、前記不織布の繊維の一部が前記織編地の糸と交絡していることにより、前記織編地と前記不織布とが一体化している積層布地が、
衣類、日傘、袋物、カバー類、冊子類、及び文具ファイルから選ばれる製品の製品本体に使用されており、
前記積層布地における前記織編地側の表面が、前記製品本体において外観に表れる外表面を構成している」ものである。
【０００６】
本構成の不織布製品は、次の製造方法により製造することができる。すなわち、
「不織布の少なくとも片面に織編地を重ね合わせ、
ニードルで繰り返し突き刺すことにより、前記不織布の繊維の一部を前記織編地の目を通過させ、且つ、前記不織布の繊維の一部を前記織編地の糸と交絡させることにより、前記織編地と前記不織布とが一体化した積層布地とし、
該積層布地における前記織編地側の表面が、衣類、日傘、袋物、カバー類、冊子類、及び文具ファイルから選ばれる製品の製品本体において外表面を構成するように前記積層布地を用いる」不織布製品の製造方法である。
【０００７】
或いは、本発明にかかる不織布製品を、上記構成に換えて、
「不織布の少なくとも片面に織編地が重ね合わされており、前記不織布の繊維の一部が前記織編地の目を通過し、且つ、前記不織布の繊維の一部が前記織編地の糸と交絡していることにより、前記織編地と前記不織布とが一体化している積層布地が、
乗物用内装部品、建築用内装材、及びインテリア製品から選ばれる製品の表皮材として使用されており、
前記積層布地における前記織編地側の表面が、前記表皮材において外観に表れる外表面を構成している」ものとすることができる。
【０００８】
この構成の不織布製品は、次の製造方法により製造することができる。すなわち、
「不織布の少なくとも片面に織編地を重ね合わせ、
ニードルで繰り返し突き刺すことにより、前記不織布の繊維の一部を前記織編地の目を通過させ、且つ、前記不織布の繊維の一部を前記織編地の糸と交絡させることにより、前記織編地と前記不織布とが一体化した積層布地とし、
該積層布地における前記織編地側の表面が、乗物用内装部品、建築用内装材、及びインテリア製品から選ばれる製品の表皮材において外観に表れる外表面を構成するように前記積層布地を用いる」不織布製品の製造方法である。
【０００９】
「不織布」は、繊維を集積させたウェブから繊維を結合させる方法によって、複数の種類に分けられる。ウェブの繊維を結合させる方法には、樹脂接着剤によって繊維の交点を接着するケミカルボンド法、熱可塑性樹脂を混合しておき熱圧着により繊維同士を融着させるサーマルボンド法、ニードルで繰り返し突き刺して繊維同士を交絡させるニードルパンチ法、高圧の水流を噴射することにより繊維同士を交絡させる水流交絡法がある。本発明で織編地と一体化させる不織布は、織編地と重ね合わされた状態でニードルを突き刺すことにより、不織布の繊維の一部を引き出して、織編地の目を通過させると共に織編地の糸と交絡させるものであるため、ニードルで突き刺したときに繊維が引き出され易いという点で、ニードルパンチ法または水流交絡法によって繊維同士が交絡されている不織布が望ましい。
【００１０】
「不織布」を構成する繊維の原料は特に限定されず、綿、麻、羊毛などの天然繊維、合成繊維、半合成繊維、再生繊維、これらのうちの二種以上の混合繊維とすることができる。なお、ＪＩＳ規格では、獣毛を湿熱処理することにより繊維同士を交絡させたフェルトは「不織布」に含めず、合成繊維１００％または合成繊維を混合した繊維同士をニードルパンチ法で交絡させたフェルトは「不織布」に含めているが、本発明では、何れのフェルトも「不織布」に含められるものとして定義する。
【００１１】
不織布と重ね合わせる織編地は、織地または編地であり、その織り方または編み方によらず、不織布の繊維を通過させる目を有している。
【００１２】
積層布地が製品本体に使用される製品のうち、「衣類」は人が身体の一部を覆うように身に着けるものの総称であり、コート等の外着、ジャケット等の上着、ベスト、スカート、ズボン、帽子、ストール、マフラー、手袋を例示することができる。また、「衣類」は、人に限らず、犬や猫などの愛玩動物が身体の一部を覆うように身に着ける上記のものの総称とすることができる。
【００１３】
「袋物」としては、バッグ、ポーチ、財布、眼鏡ケース、名刺入れ、定期入れ、ペンケースを例示することができる。「カバー類」としては、椅子カバー、ソファカバー、クッションカバー、枕カバー、布団カバーを例示することができる。
【００１４】
「冊子類」は、一定の大きさのシート（白紙・印刷物）が綴じられたものであり、ノート、メモ帳、手帳、スケッチブック、日記帳、スクラップブック、アルバム、書籍を例示することができる。また、「文具ファイル」は、書類や用紙を整理・保存するためにまとめておく文房具であり、書類を収容できる透明な袋状のクリアポケットが綴じ込まれているクリアポケットファイル、見開き状態で平坦となる表紙に、穴をあけた用紙を通して固定するための綴じ具が取り付けられているフラットファイル、穴をあけた用紙やクリアポケットを綴じるためのリングを有しているリングファイル、穴をあけた用紙やクリアポケットを長棒と筒とを組み合わせた綴じ具で綴じるパイプ式ファイル、レバー式の綴じ具で用紙を挟み込むレバーファイル、を例示することができる。
【００１５】
「製品本体」は製品の主要部分であり、衣類においては、ボタンやジッパー等の留め具やタグを除いた部分であり、日傘においては柄や骨を除いた部分であり、袋物においては把手部や留め具を除いた部分であり、カバー類においてはジッパーや結び紐等の留め具やタグを除いた部分であり、冊子類及び文具ファイルにおいては、綴じ込み部や綴じ具を除いた部分である。
【００１６】
積層布地が表皮材として使用される製品のうち、「乗物用内装部品」としては、自動車のドアパネル、インストルメントパネル、コンソールボックス、ピラー、天井パネル、乗客用空間やトランクルームのフロア材、座席を例示することができる。また、「乗物用内装部品」の「乗物」は自動車に限定されず、航空機、船舶、鉄道客車も含まれるものであり、これらの乗物用の上記内装部品にも、積層布地を表皮材として使用することができる。
【００１７】
「建築用内装材」としては、内壁材や天井材を例示することができる。予め工場で製造される内壁パネルや天井パネルに積層布地が表皮材として使用されている製品であっても、現場で内壁面や天井面が施工され、仕上げとして表皮材が貼られる内装材であってもよい。
【００１８】
「インテリア製品」としては、ソファ、椅子、クッション、カーペット、カーテンを例示することができる。
【００１９】
「外観に表れる外表面」における「外観」は、その製品に想定されている通常の使用下での外観である。外観に表れる「外表面」は、衣類、袋物、及びカバー類においては通常片面であるが、リバーシブルの製品の場合は両面が「外観に表れる外表面」である。日傘においては、傘部の凸面（傘をさしている人以外の第三者からのみ視認される面）及び凹面（傘をさしている本人から見える面）の何れも「外観に表れる外表面」である。また、冊子類及び文具ファイルにおける「外観に表れる外表面」としては、表紙または裏表紙の両面、表紙及び裏表紙を被覆しているカバーの外表面、書類の仕切りや見出し付けのために冊子類及び文具ファイルが備えているインデックスシートの両面、を例示することができる。両面が「外観に表れる外表面」である製品の場合、どちらの外表面を積層布地における織編地側の面で構成しても良い。
【００２０】
乗物用内装部品及び建築用内装材の表皮材において「外観に表れる外表面」は、乗物の室内や建築物の室内から視認される面である。インテリア製品においても、「外観に表れる外表面」は通常片面であるが、カーテンの場合は両面が「外観に表れる外表面」である。
【００２１】
不織布は意匠性に乏しいが、本構成の積層布地は不織布と織編地とが一体化したものであり、その織編地側が製品において外観に表れる外表面となるように使用されるため、織編地によって製品に意匠性を付与することができる。しかも、単に織編地が視認される訳ではなく、織編地の目を通過した不織布の繊維が織編地の表面に表れており、その不織布の繊維を透かして織編地が視認されるものであり、織編地の目がある程度大きな場合は、その目の向こうに不織布が視認される。そのため、従来なかった味わいの独特な意匠を有する不織布製品を、提供することができる。
【００２２】
また、不織布は変形し易く引張強度が低いが、織編地と一体化することにより、織編地によって変形を防止すると共に引張強度を補うことができる。そのため、従来、不織布を使用して製造することがなかった製品に、不織布を使用することができる。また、不織布はドレープ性に乏しいが、織編地と一体化することにより、織編地によってドレープ性を付与することができる。
【００２３】
更に、積層布地は、織編地と不織布との積層構造であるため、裏地を付けることなく使用することが可能である。そのため、織編地を表地とし織地を裏地として付けた製品に比べて、非常に軽量である。また、織編地側が外観に表れる外表面となるように使用されるため、衣類を適用対象の製品とする場合は、不織布側が着用者の身体の側となる。この場合、ふわふわとした不織布によって肌に暖かさが感じられ、非常に軽量であるにも関わらず暖かな衣類となる。
【００２４】
本発明にかかる不織布製品は、上記構成に加え、
「前記織編地は、レース地である」ものとすることができる。
【００２５】
「レース地」は、糸を結び合わせたり絡げたり等の糸の操作により、透かし模様を形成した布地であり、織地と編地の双方がある。例えば、チュール等の薄い織地に穴を開けたりカットしたりした上で縁をかがり刺繍を施すエンブロイダリレースや、織機によって経糸をねじり緯糸を通して模様を作るレース織によるレース地は織地である。また、ラッセルレース、トーションレース、リバーレース等は、編地である。
【００２６】
レース地の目（透かし模様の透かし部分を含む）は、通常の織編地の目より大きいため、積層布地を構成する織編地としてレース地を使用することにより、レース地の目を通過して不織布の繊維がレース地の表面に表れ易いと共に、目の向こうの不織布がよく見える。このようなレース地と不織布との組み合わせにより、従来のレース地とは全く異なった斬新な意匠でありながら、レース地が備える高い装飾性が活かされる意匠を、製品に付与することができる。
【００２７】
加えて、レース地は非常に薄く、暖かさがない布地であるが、不織布と一体化されていることにより、本構成の積層布地は、薄いにも関わらず暖かさが感じられる布地である。
【発明の効果】
【００２８】
以上のように、本発明によれば、意匠性が高い不織布製品、及び、該不織布製品の製造方法を、提供することができる。
【図面の簡単な説明】
【００２９】
【図１】（ａ）本発明の第一実施形態の製造方法の説明図、及び、（ｂ）第一実施形態の積層布地を織編地側から見た図である。
【図２】不織布製品が衣類（上着）の場合の説明図である。
【図３】不織布製品が衣類（帽子）の場合の説明図である。
【図４】（ａ），（ｂ）不織布製品が動物用の衣類の場合の説明図である。
【図５】（ａ），（ｂ）不織布製品が日傘の場合の説明図である。
【図６】（ａ），（ｂ）不織布製品が袋物の場合の説明図である。
【図７】（ａ），（ｂ）不織布製品が冊子類の場合の説明図である。
【図８】（ａ）〜（ｃ）不織布製品が文具ファイルの場合の説明図である。
【図９】（ａ），（ｂ）不織布製品が乗物用内装部品の場合の説明図である。
【図１０】（ａ），（ｂ）不織布製品が建築用内装材の場合の説明図である。
【図１１】本発明の第二実施形態の製造方法の説明図である。
【発明を実施するための形態】
【００３０】
以下、本発明の具体的な実施形態である不織布製品の製造方法、及び、該製造方法により製造される不織布製品について、図１乃至図１１を用いて説明する。
【００３１】
まず、第一実施形態の製造方法について説明する。第一実施形態の製造方法では、まず、図１（ａ）に模式的に示すように、不織布１０の片面に織編地２１を重ね合わせる。ここでは、織編地２１がレース地である場合を例示しており、不織布１０としては、ニードルパンチ法でウェブの繊維同士を結合した不織布を使用している。
【００３２】
不織布１０と織編地２１とを重ね合わせた状態で、ニードルパンチ機を使用し、先端に切込みを有するニードルの多数を上下運動させて繰り返し突き刺すことにより、不織布１０の繊維の一部を織編地２１の目を通過させ、且つ、不織布１０の繊維の一部を織編地２１の糸と交絡させる。
【００３３】
これにより、図１（ｂ）に模式的に示すように、織編地２１と不織布１０とが一体化した積層布地３０が製造される。ここで、図１（ｂ）は、織編地２１側から見た積層布地３０を図示し、Ａ範囲を拡大して示しているが、織編地２１の目を通過した不織布１０の繊維が織編地２１の表面に表れており、その不織布１０の繊維を透かして織編地２１の模様が視認される。また、織編地２１の目の向こうに不織布１０が視認される。そのため、織編地２１側から見た積層布地３０は、もとの織編地２１であるレース地とは、全く異なる味わいの斬新な意匠となる。
【００３４】
このようにして得た積層布地３０を使用し、積層布地３０における織編地２１側の表面が、製品本体において外観に表れる外表面となるように製品を製造する。これにより、次の構成の不織布製品１が製造される。すなわち、不織布１０の片面に織編地２１が重ね合わされており、不織布１０の繊維の一部が織編地２１の目を通過し、且つ、不織布１０の繊維の一部が織編地２１の糸と交絡していることにより、織編地２１と不織布１０とが一体化している積層布地３０が製品本体に使用されており、積層布地３０における織編地２１側の表面が、製品本体において外観に表れる外表面を構成している不織布製品１である。
【００３５】
或いは、上記のようにして得た積層布地３０を表皮材として使用し、積層布地３０における織編地２１側の表面が、表皮材において外観に表れる外表面となるように製品を製造する。これにより、次の構成の不織布製品１が製造される。すなわち、不織布１０の片面に織編地２１が重ね合わされており、不織布１０の繊維の一部が織編地２１の目を通過し、且つ、不織布１０の繊維の一部が織編地２１の糸と交絡していることにより、織編地２１と不織布１０とが一体化している積層布地３０が表皮材として使用されており、積層布地３０における織編地２１側の表面が、表皮材において外観に表れる外表面を構成している不織布製品１である。
【００３６】
不織布１０は意匠性に乏しいが、不織布１０と一体化している織編地２１によって製品に意匠性を付与することができる。また、不織布１０は変形し易く引張強度が低いが、不織布１０と一体化している織編地２１によって、変形を防止すると共に引張強度を補うことができる。従って、従来は不織布１０で製造することがなかった製品を、不織布１０を使用している積層布地３０を用いて製造することができる。
【００３７】
例えば、図２及び図３に示すように、衣類１ａ，１ｂの製品本体が積層布地３０で形成された不織布製品１とすることができる。積層布地３０は、織編地２１と不織布１０との積層構造であるため、裏地を付けることなく使用することが可能であり、織編地を表地とし織地を裏地として付けた衣類に比べて、非常に軽量である。加えて、織編地２１側が外観に表れる外表面となるように積層布地３０を使用することにより、不織布１０側が着用者の身体側となる。そのため、ふわふわとした不織布１０によって肌に暖かさが感じられると共に、不織布１０の繊維間の空気の層が高い保温性を発揮する。従って、非常に軽量であるにも関わらず、大変に暖かな衣類１ａ，１ｂとなる。
【００３８】
特に、本実施形態では織編地２１としてレース地を使用している。レース地は意匠性が高いものの、非常に薄くて暖かさがない布地であるが、不織布１０と一体化していることにより、薄いにも関わらず暖かさが感じられる布地からなる製品を提供することができる。
【００３９】
ここで、図２は、衣類１ａが上着（ジャケット）であり、前身頃、後ろ身頃、袖、襟、ポケットを含む製品本体の全体が、積層布地３０で形成されている例である。また、図３は、衣類１ｂが帽子であり、頭を覆う部分が積層布地３０で形成されている例である。
【００４０】
不織布１０単体ではドレープ性に乏しいところ、織編地２１と一体化することにより、織編地２１によってドレープ性を付与することができる。そのため、図３で図示しているように襞を寄せることができ、図示は省略するが多数の襞を有するスカートを不織布製品とすることもできる。
【００４１】
なお、衣類がコート、ジャケット、ベスト、スカート、ズボン、帽子、手袋等である場合は、外観に表れる外表面は片面であるが、衣類がストールやマフラーの場合など、両面が外観に表れる外表面となる衣類もある。この場合は、積層布地３０における織編地２１側の表面で、外観に表れる両面のうちどちらの面を構成させても良い。
【００４２】
また、人が身に着ける衣類に限らず、図４に示すように、ペット用の衣類１ａ，１ｂの製品本体が積層布地３０で形成された不織布製品１とすることもできる。ここで、図４（ａ）は、衣類１ａがペット用の上着である例であり、図４（ｂ）は衣類１ｂがペット用の帽子である例である。
【００４３】
不織布製品１が日傘１ｃであり、製品本体である傘部を積層布地３０で形成する場合、傘部の凸面も凹面も共に「外観に表れる外表面」である。そのため、図５（ａ）に示すように、傘部の凸面を積層布地３０における織編地２１側の表面とすることも、図５（ｂ）に示すように、傘部の凹面を積層布地３０における織編地２１側の表面とすることもできる。
【００４４】
不織布製品１が袋物１ｄ，１ｅである場合は、図６（ａ），（ｂ）に例示するように、把手部５８を除く製品本体である収容部５０を、その外表面が織編地２１側の表面となるように積層布地３０で形成することができる。ここで、図６（ａ）は、積層布地３０で形成された収容部５０に、他の素材５９ａ（ここでは、レース飾りを例示）が付加的に使用されている例である。一方、図６（ｂ）は、製品本体である収容部５０が、積層布地３０と他の素材５９ｂ（皮革など）とで形成されている例である。このように、積層布地３０のみで製品本体を形成することも、積層布地３０と他の素材５９ａ，５９ｂの組み合わせにより製品本体を形成することもできる。
【００４５】
不織布製品１が冊子類１ｆである場合は、図７（ａ），（ｂ）に例示するように、表紙または裏表紙を、積層布地３０で形成することができる。表紙も裏表紙も、それぞれの表裏面の双方が外観に表れる外表面であるため、図７（ａ）に示すように表紙のおもて面が織編地２１側となるように積層布地３０を使用することも、図７（ｂ）に示すように表紙の裏面が織編地２１側となるように積層布地３０を使用することもできる。
【００４６】
不織布製品１が文具ファイル１ｇである場合は、冊子類の場合と同様に、表紙も裏表紙も、それぞれの表裏面の双方が外観に表れる外表面であるため、表裏面の何れが積層布地３０における織編地２１側の表面であっても良い。図８（ａ）では、表紙及び裏表紙それぞれの裏面が、積層布地３０における織編地２１側の表面である場合を図示している。また、文具ファイル１ｇが、書類の仕切りや見出し付けのためのインデックスシート１ｈを備えている場合、その両面が外観に表れる外表面である。そのため、図８（ｂ），（ｃ）に示すように、何れの面が積層布地３０における織編地２１側の表面であっても良い。
【００４７】
不織布製品１が乗物用内装部品である場合は、その表皮材として積層布地３０を使用し、その織編地２１側の表面を、表皮材において外観に表れる外表面とする。図９（ａ）の乗物用内装部品１ｉは自動車のドアパネルの例であり、図９（ｂ）の乗物用内装部品１ｊは自動車の天井パネルの例である。これらの内装用パネルは、硬質樹脂製の基材に表皮材が貼着された積層構造であり、表皮材の一部または全部に積層布地３０が用いられている。図９（ｂ）の乗物用内装部品１ｋは座席の例であり、スプリング等のクッション材や充填材を被覆する表皮材として積層布地３０が用いられている。
【００４８】
不織布製品１が建築用内装材である場合は、その表皮材として積層布地３０を使用し、その織編地２１側の表面を、表皮材において外観に表れる外表面とする。図１０（ａ）の建築用内装材１ｍは建築物の天井材の例であり、天井面が施工された上で表皮材として積層布地３０が貼られたものである。また、図１０（ａ）の建築用内装材１ｎは建築物の内壁材であり、例えば、図１０（ｂ）に示すように、外壁材７０と共に壁面を構成する内壁パネルとすることができる。この内壁パネル（建築用内装材１ｎ）は、通気空間Ｓを介して外壁材７０と一体化されるものであり、構造用パネル６１と内装ボード６２との間に断熱材６３が充填されており、構造用パネル６１の外部側表面に透湿防水シート６４が、断熱材６３と内装ボード６２との間に防湿気密シート６５が配されている構造である。そして、内装ボード６２の室内側表面（化粧面）に積層布地３０が貼着されており、積層布地３０における織編地２１側の表面が室内空間に面している。従来、このような内壁パネルでは、パネル内部の断熱材として不織布が使用されることはあったが、化粧面に不織布が用いられる本構成は非常に斬新である。
【００４９】
次に、第二実施形態の製造方法について、図１１を用いて説明する。第一実施形態では、不織布１０の片面のみに織編地２１を重ね合わせて積層布地３０を製造していたところ、第二実施形態では、不織布１０の両面にそれぞれ織編地２１，２２を重ね合わせて積層布地を製造する。第一の織編地２１、不織布１０、第二の織編地２２の順に重ね合わせた状態で、第一実施形態と同様に、ニードルパンチ機を使用して多数のニードルで繰り返し突き刺すことにより、不織布１０の繊維の一部を第一の織編地２１の目を通過させると共に第二の織編地２２の目を通過させ、且つ、不織布１０の繊維の一部を第一の織編地２１の糸と交絡させると共に第二の織編地２２の糸と交絡させる。ここでは、第一の織編地２１と第二の織編地２２が、模様の異なるレース地である場合を例示している。
【００５０】
このようにして得られた積層布地は、ストール、マフラー、日傘の傘部、冊子類や文具ファイルの表紙及び裏表紙、インデックスシート、カーテンのように、両面が「外観に表れる外表面」である場合に、好適である。異なる模様を有する第一の織編地２１と第二の織編地２２によって、両面に異なる意匠を付与することができる。しかも、両面の意匠はそれぞれ単に織編地２１，２２そのものの意匠ではなく、織編地２１，２２の表面に表れている不織布１０の繊維を透かして織編地２１，２２が視認されるものであり、且つ、織編地２１，２２の目の背景として不織布１０が視認されるものであるため、非常に斬新で独特な意匠である。
【００５１】
また、ジャケット、コート、ベスト、スカート、帽子、袋物、カバー類のように、通常は片面のみが外観に表れる外表面である製品本体を、リバーシブルの仕立てとすると共に、第二実施形態の製造方法で製造される積層布地で製品本体を形成することができる。これにより、非常に軽量な製品でありながら、裏返すことによって二種類のデザインを楽しむことが可能な製品となる。
【００５２】
以上のように、本実施形態の製造方法によれば、従来は不織布が使用されなかった製品に、不織布と織編地を一体化した積層布地を使用することにより、不織布の新たな用途を創出することができる。加えて、従来は人の目に付きにくいところで使用される「裏方」であった不織布が、人の目に付き易いところで「主役」として使用される意匠性の高い不織布製品を、提供することができる。
【００５３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５４】
例えば、第二実施形態の製造方法で製造された積層布地、すなわち、不織布１０の両面にそれぞれ織編地２１，２２が重ね合わされている積層布地で、ジャケット、コート、ベスト、帽子等のように、片面のみが外観に表れる外表面である製品の製品本体を形成することができる。これにより、通常は視認されない部分であるが、意図せず衣類の裾がめくれたり衣類を脱いだりしたときなど、何かの折りにちらりと目に触れる部分にも、意匠が施されている製品とすることができる。
【００５５】
更に、本出願人は、不織布の粗い表面に印刷を施す技術を、別途開発している。この技術を用いて、本発明の積層布地における不織布側の表面に、文字や図柄を印刷しても良い。
【００５６】
また、上記では織編地としてレース地を使用する場合を実施形態として例示したが、織編地はレース地以外であってもよい。例えば、複数色の糸を用いて模様が表わされた織編地、プリント柄が施された織編地、刺繍が施された織編地、編み目によって模様が表わされた編地を不織布と一体化させて積層布地とすることにより、意匠性の高い不織布製品とすることができる。
【符号の説明】
【００５７】
１  不織布製品
１ａ  衣類（上着）
１ｂ  衣類（帽子）
１ｃ  日傘
１ｄ，１ｅ  袋物
１ｆ  冊子類
１ｇ  文具ファイル
１ｈ  インデックスシート
１ｉ，１ｊ，１ｋ  乗物用内装部品
１ｍ，１ｎ  建築用内装材
１０  不織布
２１，２２  織編地
３０  積層布地
【図１】
2018184693.tif 000003
【図２】
2018184693.tif 000004
【図３】
2018184693.tif 000005
【図４】
2018184693.tif 000006
【図５】
2018184693.tif 000007
【図６】
2018184693.tif 000008
【図７】
2018184693.tif 000009
【図８】
2018184693.tif 000010
【図９】
2018184693.tif 000011
【図１０】
2018184693.tif 000012
【図１１】
2018184693.tif 000013